(57)【特許請求の範囲】
【請求項１】
上面開口状の容器部と、この容器部の収容物を覆う遮蔽部と、容器部の下面に垂下状に設けられている杭状部とで形成され、容器部の下面に、マルチシートを介して畝床に押し込まれる押し込み部が、杭状部を囲繞して高台状に形成され、この押し込み部で囲まれた範囲内の容器部の底に貫通孔が形成され、また容器部内と外部とが上記の遮蔽部を介して連通状に形成されていることを特徴とするマルチ栽培用の補助器具。
【請求項２】
請求項１記載のマルチ栽培用の補助器具であって、遮蔽部の上面が、扁平状に形成されていることを特徴とするマルチ栽培用の補助器具。
【請求項３】
請求項１又は２記載のマルチ栽培用の補助器具であって、遮蔽部が、容器部に着脱自在に形成されていることを特徴とするマルチ栽培用の補助器具。
【請求項４】
請求項３記載のマルチ栽培用の補助器具であって、遮蔽部が覆いの下面の中央に軸を下端開放状に備えて傘形に形成され、上記の軸が嵌め込まれる縦孔を軸心位置に有する嵌め付け部が、容器部の底面の中心位置に、杭状部の軸心と同心状態で起立状に設けられ、この嵌め付け部の上端面に遮蔽部の下面が嵌め付け時に当接するよう形成されていることを特徴とするマルチ栽培用の補助器具。
【請求項５】
請求項１乃至４の何れかに記載のマルチ栽培用の補助器具であって、押し込み部が、杭状部の軸心を中心として円環形に形成されていることを特徴とするマルチ栽培用の補助器具。
【発明の詳細な説明】
【技術分野】
【０００１】
本発明は、マルチシートを利用して野菜や果樹等を栽培する際に使用するマルチ栽培用の補助器具に関し、更に詳しくはマルチシートを敷いた後でも、土壌中に水や肥料等を簡単に施すことができるよう形成したマルチ栽培用の補助器具に関するものである。
【背景技術】
【０００２】
従来、この種の器具としては、例えば特許文献１に記載されているものがある。
この従来品は、中空管の一端に尖頭部が設けられ、且つ中空管の管壁に多数の貫通孔が穿設されている。またこの従来品は、中空管の上端に、液肥又は農薬入りのタンクが連結可能に形成されている。
また従来、管状の挿入体の上端に、漏斗状のカップを取り付けたものも知られている（例えば特許文献２参照）。
【０００３】
ところで従来、野菜等の植物栽培の方法として、マルチシートを畝床に被せて行なう栽培法がある。このマルチ栽培法によれば、地温を高めて植物の生育を促進でき、収穫増を図ることができるだけではなく、土壌中の水分の蒸発を抑えることができるため、乾季の栽培が容易になる。またマルチ栽培法は、肥料の流亡を防止でき、雑草が生えにくくなるため、雑草取り作業を省略でき、また病原菌の付着を防止できるため、病害を抑えることができ、更には例えばマルチシートを銀色にすると、アブラムシ等の飛来を防止できる、というメリットがある。従って、マルチ栽培は、露地栽培や低温時期の栽培には最適である。
【０００４】
しかしながら、この種の栽培法は、畝床がマルチシートで覆われるため、追肥や水やり作業を行なうとき、シートを剥がしたり、苗の植え付け用の狭い孔を使用しなければならない、という不便があった。
そのため従来、この種の栽培法の場合は、追肥作業や水やり作業を簡単にできず、この種の作業に手間暇がかかる、という問題点があった。
また、マルチ栽培法は、畝床がマルチシートで覆われ、雨水が畝床に浸透しないため、苗の植え付け孔から追肥しても、肥料の成分が土壌に浸透しにくい、という問題点があった。
【０００５】
而して、特許文献１に記載の従来品は、中空管に肥料を充填するため、肥料が狭い空間に堆積し、肥料が溶け出しにくいものであった。また、この従来品の場合は、肥料を中空管の周壁の貫通孔からしみ出させる構造である。従って、これによると、肥料が拡散しないで中空管の周りの狭い範囲に止まるのを避けられなかった。
またこの従来品は、タンクから液肥を注入することができるものの、固形肥料を、例えば雨水を利用して時間をかけて緩効的に追肥することができなかった。
従って、この従来品をマルチ栽培法で利用するには不向きであった。
【０００６】
また特許文献２に記載の従来品を使用して、漏斗状のカップに固形肥料を入れて追肥すると、肥料が直射日光によって変質したり、鳥や動物によって食い荒らされたり、また豪雨等の激しい雨によって肥料がカップ内から飛散するのを防止できなかった。
従って、この従来品をマルチシートで覆われた畝床に差し込んでも、例えば飛散した肥料がマルチシートの表面を伝わって流れ落ちてしまい、その結果、畝床に確実に追肥することができなかった。
【先行技術文献】
【特許文献】
【０００７】
【特許文献１】特開平２−１２８６２５号公報
【特許文献２】特開平１−１３７９２４号公報
【発明の概要】
【発明が解決しようとする課題】
【０００８】
本発明は、このような従来技術の問題点に鑑み、提案されたものである。
従って本発明の解決しようとする技術的課題は、マルチシートで覆われた畝床に、簡単、確実に、しかも広い範囲にわたって肥料や薬剤等をしみ込ませて追肥等を行なうことができ、また肥料等の変質防止、鳥獣類による肥料等の食い荒らし防止、降雨による肥料等の飛散防止を図ることができ、更にはマルチシートの固定にも役立つことができるよう形成したマルチ栽培用の補助器具を提供することにある。
【課題を解決するための手段】
【０００９】
本発明は、上記の課題を解決するため、次のような技術的手段を採る。
即ち本発明は、図１等に示されるように、上面開口状の容器部１と、この容器部１の収容物２を覆う遮蔽部３と、容器部１の下面１ａに垂下状に設けられている杭状部４とで形成され、容器部１の下面１ａに、マルチシート５を介して畝床６に押し込まれる押し込み部７が、杭状部４を囲繞して高台状に形成され、この押し込み部７で囲まれた範囲内の容器部１の底１ｂに貫通孔１ｃが形成され、また容器部１内と外部とが上記の遮蔽部３を介して連通状に形成されていることを特徴とする（請求項１）。
【００１０】
本発明の場合、容器部１は、浅底の皿状や椀状に形成されるが、その深さや形状は自由である。また遮蔽部３の形状も自由であり、図示されるような傘形に形成される場合には限られない。また本発明は、杭状部４の形状や長さ、太さも任意である。
【００１１】
またここで、高台状とは、茶碗等の脚部のように、押し込み部７が容器部１の下面１ａから下方に突き出されている、ということを意味する。押し込み部７は、通常、マルチシート５を破くことなく押し込むことができるよう、連続状に形成されているのが好ましいが、本発明はこれに限定されるものではなく、断続的に形成されているのでも良い。
【００１２】
また押し込み部７は、通常、突き出し長さ（高さ）が長く（高く）、厚みが厚いほど、押し込み時にマルチシート５を畝床６に押し込み、杭状部４によって開けられた孔状の開口８（図６参照）を外方に引っ張って拡げることができるが、この押し込み部７の長さ等は、杭状部４の断面形状や、太さ等に鑑み、適宜選定されるので良い。また本発明の場合、押し込み部７は、通常、杭状部４と軸心を同一にして円環状に形成されるのが好ましいが、これに限定されるものではない。
【００１３】
また本発明の場合、貫通孔１ｃは、通常、複数形成されるが、個数は任意であり、またスリット状に形成されているのでも良い。またここで、容器部１内と外部とが遮蔽部３を介して連通状に形成されている、とは、肥料や薬剤等の収容物２が、直射日光等で変質したり、豪雨で飛散したり、鳥や動物によって食い荒らされることを遮蔽部３で防止でき、しかも容器部１内に注水でき、雨水等を捕集できるよう、遮蔽部３が形成されている、ということを意味する。具体的には、図１等に示されるように、遮蔽部３を傘形に形成すると共に、その直径を容器部１の直径より少し短く形成して、遮蔽部３の周囲に隙間Ｓを形成したり、図８に示されるように、遮蔽部３を蓋状に形成して、上面に通気部３ｃを形成したり、周囲に切り欠きを形成することで実現される。
なお、本発明品は、プラスチック等の耐食性材料で一体形成されるのが好ましいが、各構成部品を接着等の手段で組み立てて形成するのでも良い。
【００１４】
また本発明は、遮蔽部３の上面が、扁平状に形成されているのが好ましい（請求項２）。
なぜならこれによると、例えば掌を遮蔽部３の上にあてがって楽に、且つ道具を必要とすることなく差し込むことができるからである。
【００１５】
また本発明は、図８に示されるように、遮蔽部３が、容器部１に着脱自在に形成されているのが好ましい（請求項３）。
なぜならこれによると、遮蔽部３を取り外して、肥料等の収容物２を容器部１に入れたり、容器部１に注水することができ、この種の作業を楽にできるからである。
【００１６】
この場合、本発明は、図９、図１０等に示されるように、遮蔽部３が覆い３ａの下面３ｄの中央に軸３ｂ1を下端開放状に備えて傘形に形成され、上記の軸３ｂ1が嵌め込まれる縦孔９ａを軸心位置に有する嵌め付け部９が、容器部１の底面の中心位置に、杭状部４の軸心と同心状態で起立状に設けられ、この嵌め付け部９の上端面９ｂに遮蔽部３の下面３ｄが嵌め付け時に当接するよう形成されているのが好ましい（請求項４）。
なぜならこれによると、降雨等の際、水を覆い３ａの周縁から容器部１内に導いて効率良く捕集できるからである。またこれによると、遮蔽部３の軸３ｂ1を損壊することなく、遮蔽部３に加える押圧力をロスなく杭状部４に伝えて畝床６に、楽に差し込むことができるからである。
【００１７】
また本発明は、押し込み部７が、杭状部４の軸心を中心として円環形に形成されているのが好ましい（請求項５）。
なぜならこれによると、杭状部４によって開けられた孔状の開口８（図６参照）を、外方に３６０度の範囲にわたってバランス良く引っ張って拡げることができるからである。
【発明の効果】
【００１８】
本発明は、このように上面開口状の容器部の下面に、マルチシートを介して畝床に押し込まれる押し込み部が、杭状部を囲繞して高台状に形成され、この押し込み部で囲まれた範囲内の容器部の底に貫通孔が形成されている。
従って、本発明によると、マルチシートを剥がしたり、苗の植え付け孔を利用することなく、マルチシートで覆われた畝床に、雨水等を利用して簡単、容易に、追肥等を行なうことができる。
【００１９】
また本発明は、押し込み部がマルチシートを畝床に引き込むため、杭状部で開けられた孔状の開口を、外方に引っ張って拡げることができる。またこの場合、押し込み部が、水止めの矢板として働くから、溶けた肥料が漏れ出すことを防止できる。
従って、本発明によると、上記の開口から、畝床に肥料等を確実にしみ込ませて上から広い範囲にわたって追肥等を行なうことができる。
【００２０】
また本発明は、容器部内と外部とが遮蔽部を介して連通状に形成されている。
従って、本発明によると、遮蔽部によって収容物である肥料や薬剤の変質を防止でき、鳥獣類による肥料等の食い荒らしを防止でき、また豪雨があっても肥料等の飛散を防止できる。
【００２１】
また本発明品は、押し込み部によってマルチシートを押さえ付けることができる。
従って、本発明によれば、マルチシートの固定にも役立つものである。
【図面の簡単な説明】
【００２２】
【図１】本発明の補助器具の好適な一実施形態を示す要部縦断面図である。
【図２】同上補助器具の斜視図である。
【図３】同上補助器具の平面図である。
【図４】同上補助器具の正面図である。
【図５】図４のV−V線における断面図である。
【図６】同上補助器具の使用例及び作用を説明するため、図３のVＩ−VＩ線から見たときの要部断面図である。
【図７】同上補助器具の使用例及び作用を説明するための設置状態図である。
【図８】同上補助器具の他の実施形態を示す要部縦断面図である。
【図９】同上補助器具の他の実施形態を示す、上から見た分解斜視図である。
【図１０】図９の実施形態に係る本発明品の下方から見た分解斜視図である。
【図１１】図９の実施形態に係る本発明品の平面図である。
【図１２】図１１のXII−XII線における断面図である。
【発明を実施するための形態】
【００２３】
以下、本発明の好適な一実施形態を、添付図面に従って説明する。
本発明は、図１等に示されるように、上面開口状の容器部１と、この容器部１の収容物２を覆う遮蔽部３と、容器部１の下面１ａに垂下状に設けられている杭状部４とで形成されている。なお、この実施形態の本発明品は、プラスチックで形成されている。
【００２４】
上記の容器部１は、この実施形態では底の浅い円形の皿状に形成されている。本発明は、この容器部１の下面１ａに、マルチシート５を介して畝床６に押し込まれる押し込み部７が形成されている。この押し込み部７は、杭状部４を囲繞して高台状に、且つこの実施形態では杭状部４の軸心を中心として円環形に形成されている。
【００２５】
また本発明は、押し込み部７で囲まれた範囲内の容器部１の底１ｂに貫通孔１ｃが複数形成されている。この実施形態の場合、杭状部４は、図２等に示されるように、クロスパイル形に形成されている。そして、貫通孔１ｃは、図５等に示されるように、この杭状部４の十字形のフィン４ａの周りに、フィン４ａの形に沿って形成されている。
【００２６】
また遮蔽部３は、この実施形態では円形の覆い３ａの下面３ｄの中央に支軸３ｂを備えて傘形に形成されている。覆い３ａは、容器部１の周壁１ｄとの間に隙間Ｓが形成されるよう、直径が容器部１の直径より少し短く形成されている。この実施形態の本発明品は、上記の隙間Ｓにより、容器部１内と外部とが連通されている。従って、この本発明品の場合は、じょうろ等で注水したり、降雨があると、覆い３ａの上面から覆い３ａの周縁を介して水が容器部１内に流れ込む。
【００２７】
また、この実施形態の場合、覆い３ａは、掌をあてがい易くなるよう、上面が扁平状に形成されている。また支軸３ｂは、その軸心が杭状部４の軸心と同心状に位置決めされて容器部１の底面に固定されている。
【００２８】
次に本発明の使用例及び作用を説明する。
先ず作業者は、マルチシート５で覆われている畝床６（図１等参照）に、杭状部４の先端（下端）を少し差し込み、次に掌を覆い３ａの上にあてがって押圧し、畝床６に杭状部４を根元まで差し込む（図６参照）。
【００２９】
すると本発明は、杭状部４が根元まで差し込まれる直前、押し込み部７の下端がマルチシート５に当たり、杭状部４が根元まで差し込まれると、図６に示されるように、押し込み部７がマルチシート５を畝床６に押し込む。
【００３０】
この場合、押し込み部７は、上記の通り、杭状部４を囲繞するように形成され、しかもこの実施形態では杭状部４の軸心を中心にして円環状に形成されている。従って、杭状部４によって開けられたマルチシート５の孔状の開口８は、押し込み部７が畝床６に押し込まれる長さ分（押し込み部７の高さＨ（図６参照）の２倍と、押し込み部７の厚みＴ（図６参照）を足した長さ分）だけ、この実施形態では３６０度にわたって均等に外方に引っ張られて拡げられる。
【００３１】
次に作業者は、収容物２としての例えば肥料を、容器部１に入れる。この肥料は、作業者が、容器部１に注水したり、或いは降雨があると、溶けて容器部１の底１ｂの貫通孔１ｃから流れ出す。この場合、本発明品は、杭状部４で開けられた孔状の開口８が、上記の通り、押し込み部７で拡げられている。また本発明の場合は、容器部１の下面１ａがマルチシート５に密着すると共に、押し込み部７が水止めの矢板として機能する。従って、本発明品によると、液化した肥料はマルチシート５の表面を伝わって流れ出すことなく、上記の開口８から畝床６に確実にしみ込み、下方に拡がって行く。
【００３２】
而して、本発明の場合、収容物２としての肥料や薬剤は、遮蔽部３によって覆われている。従って、本発明によると、肥料等が、直射日光を受けて変質することはない。また収容物２は、遮蔽部３が妨げになるため、鳥や獣に食べられることもない。またこの実施形態の場合は、遮蔽部３が傘形に形成され、周囲の隙間Ｓを介して、容器部１内と外部とが連通するよう形成されている。従って、本発明の場合は、じょうろ等で注水したり、降雨があると、遮蔽部３が傘として機能し、水が覆い３ａの周縁から容器部１内に落下するため、これによると、効率良く、且つ確実に雨水等を捕集できる。
【００３３】
以上の処において、本発明は、遮蔽部３が容器部１に着脱自在に形成されているのでも良い。この場合は、遮蔽部３を取り外して容器部１の上面を完全に開放した状態で肥料等を入れることができる。従って、これによると、肥料や薬剤、或いは水等を、供給、補給する作業を容易化できる、という利点がある。
【００３４】
具体的には、例えば図８に示されるように、遮蔽部３を蓋状に形成し、容器部１の周壁１ｄの上端縁に係合可能に形成することで実現される。この実施形態の場合は、遮蔽部３の上面の適宜箇所に、通気部３ｃが小孔状やスリット状に形成され、この通気部３ｃを介して容器部１内と外部とが連通可能に形成されている。
【００３５】
また遮蔽部３の着脱構造は、図９〜図１２に示されるように形成されるのでも良い。
この本発明は、遮蔽部３が、覆い３ａの下面３ｄの中央に軸３ｂ1を下端開放状に備えて傘形に形成されている。そして、軸３ｂ1が嵌め込まれる縦孔９ａを軸心位置に有する嵌め付け部９が、容器部１の底面の中心位置に起立状に設けられている。
【００３６】
この場合、嵌め付け部９の軸心は、杭状部４の軸心と同一になるよう、設けられている。また遮蔽部３は、嵌め付け部９の上端面９ｂに、覆い３ａの下面３ｄ（図１０、図１２参照）が嵌め付け時に当接するよう、形成されている。
【００３７】
従って、この実施形態の場合は、覆い３ａを上から押したとき、軸３ｂ1に無理な力を加えて破損させることがない。またこれによると、押圧力を杭状部４にロスなく効率良く伝えて、本発明品を畝床６に差し込むことができる。
【符号の説明】
【００３８】
１      容器部
１ａ    下面
１ｂ    底
１ｃ    貫通孔
２      収容物
３      遮蔽部
４      杭状部
５      マルチシート
６      畝床
７      押し込み部
【要約】
【課題】  マルチシートで覆われた畝床に、簡単、確実に、しかも広い範囲にわたって肥料や薬剤等をしみ込ませて追肥等を行なうことができ、また肥料等の変質防止、鳥獣類による肥料等の食い荒らし防止、降雨による肥料等の飛散防止を図ることができ、更にはマルチシートの固定にも役立つマルチ栽培用の補助器具を提供する。
【解決手段】  上面開口状の容器部１と、この容器部１の収容物２を覆う遮蔽部３と、容器部１の下面１ａに垂下状に設ける杭状部４とで形成する。容器部１の下面１ａに、マルチシート５を介して畝床６に押し込む押し込み部７を、杭状部４を囲繞して高台状に形成する。この押し込み部７で囲まれた範囲内の容器部１の底１ｂに、貫通孔１ｃを形成する。また容器部１内と外部とを、上記の遮蔽部３を介して連通状に形成する。
【選択図】      図１【図１】
0004832611.tif 000002
【図２】
0004832611.tif 000003
【図３】
0004832611.tif 000004
【図４】
0004832611.tif 000005
【図５】
0004832611.tif 000006
【図６】
0004832611.tif 000007
【図７】
0004832611.tif 000008
【図８】
0004832611.tif 000009
【図９】
0004832611.tif 000010
【図１０】
0004832611.tif 000011
【図１１】
0004832611.tif 000012
【図１２】
0004832611.tif 000013